(57)【要約】【課題】本発明は時空間情報およびユーザー情報を含む複数のデジタル権限情報に応じたデジタルコンテンツ権限管理の装置および方法を提供する。【解決手段】デジタルコンテンツ権限管理の装置は、受信した権限情報に基づいてデジタルコンテンツの利用権限を生成するデジタル権限管理部と、生成された利用権限に応じてデジタルコンテンツを供給するコンテンツ管理部とを含むデジタルコンテンツの権限管理装置であって、コンテンツ管理部は、デジタル権限管理部から生成された利用権限を受信し、利用権限に応じてデジタルコンテンツの要素を抽出してパッケージ化するコンテンツパッケージ部と、コンテンツパッケージ部から生成されたパッケージ化されたデジタルコンテンツを受信してコンテンツ利用装置に供給するコンテンツ供給部とを含む。【選択図】図１
2010123129.tif 000002
【特許請求の範囲】
【請求項１】
受信した権限情報によってデジタルコンテンツの利用権限を生成するデジタル権限管理部と、生成された利用権限によってデジタルコンテンツを供給するコンテンツ管理部とを含むデジタルコンテンツの権限管理の装置であって、
前記コンテンツ管理部は、
前記デジタル権限管理部から生成された利用権限を受信し、前記利用権限に応じてデジタルコンテンツの要素を抽出してパッケージ化するコンテンツパッケージ部と、
前記コンテンツパッケージ部から生成されたパッケージ化されたデジタルコンテンツを受信してコンテンツ利用装置に供給するコンテンツ供給部と
を備えたデジタルコンテンツの権限管理の装置。
【請求項２】
前記デジタルコンテンツは、
デジタルコンテンツの要素が前記利用権限によって等級別に分類されていることを特徴とする請求項１に記載のデジタルコンテンツの権限管理の装置。
【請求項３】
前記デジタルコンテンツは、
空間情報コンテンツであり、前記空間情報コンテンツの要素は、空間の各地形または建物に対応するものであることを特徴とする請求項１に記載のデジタルコンテンツの権限管理の装置。
【請求項４】
前記デジタルコンテンツは、
イメージ、オーディオ、文字、動画マルチメディアファイル、およびコンピューター読取り可能プログラムのうちの一つ以上の媒体を含むことを特徴とする請求項１に記載のデジタルコンテンツの権限管理の装置。
【請求項５】
前記権限情報は、
デジタルコンテンツの全体または一部要素に対する利用権限を設定するために必要な時間情報、空間情報、およびユーザー情報のうちの一つ以上を有することを特徴とする請求項１に記載のデジタルコンテンツの権限管理の装置。
【請求項６】
前記デジタル権限管理部は、
外部デジタル権限情報収集装置から権限情報を受信する権限情報収集部を備えたことを特徴とする請求項１に記載のデジタルコンテンツの権限管理の装置。
【請求項７】
前記デジタル権限管理部は、
コンテンツ利用装置から権限情報を受信する権限情報収集部を備えたことを特徴とする請求項１に記載のデジタルコンテンツの権限管理の装置。
【請求項８】
前記デジタル権限管理部は、
生成された利用権限を前記コンテンツ管理部またはコンテンツ利用装置に供給する権限制御部を備えたことを特徴とする請求項１に記載のデジタルコンテンツの権限管理の装置。
【請求項９】
パッケージ化の対象となる前記デジタルコンテンツを格納するデジタルコンテンツ格納部と、
前記パッケージ化されたデジタルコンテンツを格納するパッケージ化コンテンツ格納部と
を備えたコンテンツ格納部をさらに備えたことを特徴とする請求項１に記載のデジタルコンテンツの権限管理の装置。
【請求項１０】
前記コンテンツ供給部は、
コンテンツ利用装置にパッケージ化されたデジタルコンテンツに対する有効な利用権限の存在有無を判断する手段をさらに備えたことを特徴とする請求項１に記載のデジタルコンテンツの権限管理の装置。
【請求項１１】
前記コンテンツ供給部は、
パッケージ化されたデジタルコンテンツが既にコンテンツ利用装置に存在するか否かを判断し、パッケージ化されたデジタルコンテンツをコンテンツ利用装置に供給するか否かを判断する手段をさらに備えたことを特徴とする請求項１に記載のデジタルコンテンツの権限管理の装置。
【請求項１２】
権限情報によってデジタルコンテンツの利用権限を生成するデジタル権限管理部と、生成された利用権限によってデジタルコンテンツを供給するコンテンツ管理部とを備えたデジタルコンテンツの権限管理の装置を用いたデジタルコンテンツの権限管理の方法であって、
前記デジタル権限管理部がデジタルコンテンツの利用権限情報を収集し、前記デジタルコンテンツの利用権限情報によって前記デジタルコンテンツの利用権限を生成するステップと、
前記コンテンツ管理部が前記利用権限によって前記デジタルコンテンツの要素を抽出してパッケー化し、パッケージ化されたデジタルコンテンツをコンテンツ利用装置に供給するステップと
を備えたデジタルコンテンツの権限管理の方法。
【請求項１３】
前記デジタルコンテンツは、
デジタルコンテンツの要素が利用権限に応じた等級別に分類されていることを特徴とする請求項１２に記載のデジタルコンテンツの権限管理の方法。
【請求項１４】
前記デジタルコンテンツは、
空間情報コンテンツであり、前記空間情報コンテンツの要素は、空間の各地形または建物に対応するものであることを特徴とする請求項１２に記載のデジタルコンテンツの権限管理の方法。
【請求項１５】
前記デジタルコンテンツは、
イメージ、オーディオ、文字、動画マルチメディアファイル、およびコンピューター読取り可能プログラムのうちの一つ以上の媒体を含むことを特徴とする請求項１２に記載のデジタルコンテンツの権限管理の方法。
【請求項１６】
前記権限情報は、
デジタルコンテンツの要素別に利用権限を設定するために必要な時間情報、空間情報、およびユーザー情報のうちの一つ以上を有することを特徴とする請求項１２に記載のデジタルコンテンツの権限管理の方法。
【請求項１７】
前記デジタル権限管理部が利用権限生成のために権限情報を収集するステップをさらに備えたことを特徴とする請求項１２に記載のデジタルコンテンツの権限管理の方法。
【請求項１８】
前記コンテンツ管理部によってパッケージ化されたデジタルコンテンツをコンテンツ格納部に格納するステップをさらに備えたことを特徴とする請求項１２に記載のデジタルコンテンツの権限管理の方法。
【請求項１９】
前記コンテンツ管理部がコンテンツ利用装置にパッケージ化されたデジタルコンテンツに対する有効な利用権限の存在有無を判断するステップをさらに備えたことを特徴とする請求項１２に記載のデジタルコンテンツの権限管理の方法。
【請求項２０】
前記コンテンツ管理部がパッケージ化されたデジタルコンテンツがコンテンツ利用装置に既に存在するか否かを判断し、パッケージ化されたデジタルコンテンツをコンテンツ利用装置に供給するか否かを判断するステップをさらに備えたことを特徴とする請求項１２に記載のデジタルコンテンツの権限管理の方法。
【発明の詳細な説明】
【技術分野】
【０００１】
本発明は、使用時間、空間、ユーザーなどの権限情報に応じて差等的な利用が必要なデジタルコンテンツに対するアクセス制御および利用権限管理の装置および方法に関し、より詳細には、デジタルコンテンツに対する利用制限ではない利用権限を発給してデジタルコンテンツの互換性を高め、コンテンツの全体または一部に対するデジタルコンテンツの権限管理の装置および方法に関する。
【背景技術】
【０００２】
有線および無線通信手段の発達および移動通信手段の発達に伴ってデジタルコンテンツ事業も急速に発展している。このような発展により、デジタルコンテンツに対する利用形態も多様化している。一定時間帯にのみデジタルコンテンツの使用を許可することによってデジタルコンテンツの管理を容易にする技術、一定ユーザーにのみデジタルコンテンツの使用を許可することによってデジタルコンテンツに対する著作権などの保護を容易にする技術、一定空間またはドメインにのみデジタルコンテンツの使用を許可することによってデジタルコンテンツに対する保護を容易にする技術などが研究されている。このような技術をデジタル権限管理（ＤＲＭ）技術という。
【０００３】
ＤＲＭ技術に対する研究は益々発展していきつつあり、特に時空間情報のＤＲＭ技術に対する研究が進行されている現状である。しかし、既存のＤＲＭ技術の特徴は、特定ソフトウェアや特定ウェブサイト、または特定マルチメディアオブジェクトなどのデジタルコンテンツの使用を外部から取得した時間情報および空間情報に応じて制限する方法によってなされている。
【０００４】
しかし、上記のような従来技術によるＤＲＭ技術は、次のような問題点を有している。コンテンツの使用を制限するためには、数多くのユーザーに対する検知が必要であり、コンテンツを複数の他の場所や時間などにおいて管理されるＤＲＭ技術に適用するために互換性の問題が指摘されている。また、コンテンツそのものに対するＤＲＭ技術のみが存在するため、例えば、地図に対するＤＲＭ技術において、軍事機密などの情報が載っている地図の一部分に対してＤＲＭ技術を適用するなどのコンテンツの一部データに対するＤＲＭ技術が存在しないため、デジタルコンテンツの一部要素に対するＤＲＭ技術の適用が必要な地図コンテンツ、セキュリティーコンテンツ、文字コンテンツなど、ＤＲＭ技術が適用されるコンテンツの範囲に制限があった。
【先行技術文献】
【特許文献】
【０００５】
【特許文献１】特開2009-529175号公報
【発明の概要】
【発明が解決しようとする課題】
【０００６】
上記のような従来技術の問題点を解決するために、本発明は、改善されたデジタル権限管理の装置および方法を提供して、ユーザーにＤＲＭ技術が適用されたデジタルコンテンツの使用に対する制限の代わりに、デジタルコンテンツに対する使用権限を与える形態を取り、デジタル権限管理者側にとって管理が容易になるようにし、また、使用権限に対する基準も時間、空間、ユーザーなどの複数の権限関連情報に対する収集装置を利用して直接収集し、それに応じた利用権限を発給すると同時に、それによってデジタルコンテンツをパッケージ化することにより、色々なＤＲＭコンテンツの相互互換性を増進することを目的とする。
【０００７】
また、デジタルコンテンツ全体に対する権限管理を行うと同時に、一つのデジタルコンテンツの内容において一部に対する権限管理を可能にして、デジタルコンテンツをダウンロードするときにデジタルコンテンツの利用権限に応じて一つのコンテンツからダウンロード可能なデジタルコンテンツの構成要素を異にすることにより、任意のコンテンツにセキュリティーなどの原因によって遮断しなければならない内容を容易に管理することにより、ＤＲＭ技術がより広い範囲において使われるようにすることを目的とする。
【課題を解決するための手段】
【０００８】
本発明の目的を達成するために、本発明の好ましい実施形態によるデジタルコンテンツの権限管理の装置は、受信した権限情報に基づいてデジタルコンテンツの利用権限を生成するデジタル権限管理部と、生成された利用権限に応じてデジタルコンテンツを供給するコンテンツ管理部とを含むデジタルコンテンツの権限管理の装置であって、コンテンツ管理部は、デジタル権限管理部から生成された利用権限を受信し、利用権限に応じてデジタルコンテンツの要素を抽出してパッケージ化するコンテンツパッケージ部と、コンテンツパッケージ部から生成されたパッケージ化されたデジタルコンテンツを受信してコンテンツ利用装置に供給するコンテンツ供給部とを含む。
【０００９】
また、本発明の好ましい実施形態によるデジタルコンテンツの権限管理方法は、権限情報に基づいてデジタルコンテンツの利用権限を生成するデジタル権限管理部と、生成された利用権限に応じてデジタルコンテンツを供給するコンテンツ管理部とを含むデジタルコンテンツの権限管理の装置を用いたデジタルコンテンツの権限管理の方法であって、デジタル権限管理部がデジタルコンテンツの利用権限情報を収集し、デジタルコンテンツの利用権限情報に基づいて、デジタルコンテンツの利用権限を生成するステップと、コンテンツ管理部が利用権限に基づいてデジタルコンテンツの要素を抽出してパッケージ化して、パッケージ化されたデジタルコンテンツをコンテンツ利用装置に供給するステップとを含む。
【発明の効果】
【００１０】
本発明の実施形態によるデジタルコンテンツの権限管理の装置および方法によれば、コンテンツの利用権限をデジタル権限管理の装置内において判断して発給し、それに応じてコンテンツ全体または一つのコンテンツの一部内容に対して利用を許可することにより、権限管理の装置のロードを減らすことができ、ＤＲＭ対象コンテンツの互換性を高めることができる。また、コンテンツの一部内容に対して権限管理が可能であるため、ナビゲーション、ウェブ地図、文字情報を含むセキュリティー管理が必要なデジタルコンテンツにもＤＲＭ技術を効果的に適用することができることにより、ＤＲＭ技術の適用範囲を広げられる効果がある。
【図面の簡単な説明】
【００１１】
【図１】本発明の一実施形態に係るデジタルコンテンツの権限管理の装置に対する装置の例を示す図および本発明の一実施形態に係るデジタルコンテンツパッケージ化の例を示す図である。
【図２】本発明の一実施形態に係るデジタルコンテンツの権限管理の装置におけるコンテンツ格納部の構成の一例を示す図である。
【図３】本発明の一実施形態に係るデジタルコンテンツの権限管理の装置におけるデジタル権限管理部の構成の一例を示す図である。
【図４】本発明の一実施形態に係るデジタルコンテンツの権限管理の装置におけるコンテンツ管理部の構成の一例を示す図である。
【図５】本発明の一実施形態に係るデジタルコンテンツの権限管理の装置におけるコンテンツ管理部に含まれたコンテンツパッケージ部の構成の一例を示す図である。
【図６】本発明の一実施形態に係るデジタルコンテンツのうちの地図コンテンツに対するコンテンツ要素別等級区分に対する一例を示す図である。
【図７】本発明の一実施形態に係るデジタルコンテンツの権限管理の装置および方法によるコンテンツ要素別パッケージ化の一例を示す図である。
【図８】本発明の一実施形態に係るデジタルコンテンツの権限管理の方法に対するフローチャートである。
【発明を実施するための形態】
【００１２】
以下、図１を参照して本発明の好ましい実施形態について説明する。
【００１３】
図１は、本発明の一実施形態に係るデジタルコンテンツの権限管理の装置およびデジタルコンテンツの権限管理の装置によるコンテンツの概略的な一形態を示す図である。
【００１４】
図１を参照すると、本発明の一実施形態に係るデジタルコンテンツの権限管理の装置は、デジタルコンテンツをデジタルコンテンツに対する複数の権限情報に基づいた利用権限に応じてコンテンツの要素を抽出してパッケージ化（Ｐａｃｋａｇｉｎｇ、デジタル権限管理の対象となるデジタルコンテンツに対し、利用権限に応じて供給が管理されるように、権限情報とデジタルコンテンツとを対応させてデータ化することを意味する。）し、パッケージ化されたデジタルコンテンツをコンテンツ利用装置１０３またはコンテンツ格納部１００に供給するコンテンツ管理部１０２と、コンテンツ利用装置１０３の要請またはコンテンツ管理部１０２の要請に基づいて、デジタルコンテンツの利用権限を複数の条件に応じて与えおよび管理し、デジタルコンテンツの利用権限を発給するために複数のデジタルコンテンツ利用権限情報を収集するデジタル権限管理部１０１と、コンテンツ管理部１０２にパッケージ化の対象となるデジタルコンテンツを提供すると同時に利用権限に応じてコンテンツ管理部１０２によりパッケージ化されたデジタルコンテンツを格納し、格納されたパッケージ化されたデジタルコンテンツをコンテンツ管理部１０２の要請に応じて供給するコンテンツ格納部１００をさらに含むことができる。
【００１５】
また、図１を参照すると、本発明の一実施形態に係るデジタルコンテンツの権限管理システムによってパッケージ化されるデジタルコンテンツの一例を示している。先ず、パッケージ化される前の地図イメージコンテンツ１０００がコンテンツ格納部１００に格納されていると仮定すれば、コンテンツ管理部１０２の要請に応じて、コンテンツ格納部１００は地図イメージコンテンツ１０００をコンテンツ管理部１０２に供給し、コンテンツ管理部１０２はコンテンツ利用装置１０３およびデジタル権限管理部１０１から受信した地図イメージコンテンツ１０００に対する利用権限情報に基づいてパッケージ化する。パッケージ化される前の地図イメージコンテンツ１０００には、道路１１００、公園１１０２、軍事施設１１０１、刑務所１１０３、警察署１１０８、商店街１１０４、食堂１１０６、ニュータウン開発地域１１０５、グリーンベルト１１０７の要素が含まれている。一方、コンテンツ管理部によってパッケージ化された地図イメージコンテンツ１００１には、パッケージ化される前の地図イメージコンテンツ１０００を構成する複数の構成要素（１１００、１１０１、１１０２、１１０３、１１０４、１１０５、１１０６、１１０７、１１０８）のうちの軍事施設１２０１、ニュータウン開発地域１２０５、グリーンベルト１２０７に対する情報が削除されて見えないようにしている。このようにパッケージ化された地図イメージコンテンツ１００１はコンテンツ格納部１００に格納されるか、コンテンツ利用装置１０３の要請に応じて供給される。
【００１６】
権限情報は、デジタルコンテンツに対する利用権限設定のために必要な複数の情報を意味し、デジタルコンテンツに対する利用権限情報には時間（日付別または時間別）、空間（地政学的な地形空間または有線および無線ネットワーク上のドメイン空間）、ユーザー（年齢、性別、職責、職業などのユーザーの全般的な複数の地位に対する情報を含む）に対する情報を含むことができる。権限情報は独立にまたは複合的に使用され、例えば、図１の地図イメージコンテンツ（１０００，１００１）において、パッケージ化された地図イメージコンテンツ１００１を利用することができる利用権限に対する権限情報が“使用許可から５時間、現在行政区域内、全てのユーザーが使用可能”などの情報を含むことができる。また、利用権限も権限情報に対応してデータ化されて生成および供給される。
【００１７】
デジタルコンテンツとは、本発明の一実施形態において地図情報コンテンツを一例として挙げているが、時間、空間、ユーザーなどを含む複数の権限情報に応じて、コンテンツの各要素に対する利用が制限的に許容される必要のある有線および無線通信網に連結された一般的なコンピューター、ノートパソコン、特殊目的のためのサーバ用、軍事用、政府部署用などのコンピューター、ＰＭＰ（Ｐｏｒｔａｂｌｅ  Ｍｕｌｔｉｍｅｄｉａ  Ｐｌａｙｅｒ）、デジタルカメラ、カムコーダー、車両用およびその他の目的のナビゲーション装置、ＧＰＳ（Ｇｌｏｂａｌ  Ｐｏｓｉｔｉｏｎｉｎｇ  Ｓｙｓｔｅｍ）測定および表示装置、ＭＰ３プレーヤーなどの装置において再生可能な文字データ、イメージ（Ｉｍａｇｅ）データ、動画データ、オーディオ（Ａｕｄｉｏ）データなどの各種マルチメディアデータをも含むことができる。
【００１８】
また、デジタルコンテンツは、利用権限に応じてその利用に対して等級が分けられ、利用に対する等級に応じてデジタルコンテンツの要素が区分されたものでなければならない。本発明の一実施形態において、地図情報コンテンツは、デジタルコンテンツとして提供され、利用権限に応じた等級に従って区分されるデジタルコンテンツの要素は各地形または建物の特徴によって区分されている。
【００１９】
コンテンツ利用装置１０３は、デジタル権限管理の対象となるデジタルコンテンツをユーザーが利用するために使う装置であって、デジタルコンテンツのダウンロードおよび再生かつ編集が可能でなければならない。また、デジタルコンテンツに対する利用権限を発給する要請および受信のために、デジタル権限管理部およびコンテンツ管理部と有線および無線通信網によって連結されなければならない。コンテンツ利用装置１０３の例としては、上記に説明したデジタルデータを再生、格納かつ編集することができる有線および無線通信網に連結された一般的なコンピューター、ノートパソコン、特殊目的のためのサーバ用、軍事用、政府部署用などのコンピューター、ＰＭＰ（Ｐｏｒｔａｂｌｅ  Ｍｕｌｔｉｍｅｄｉａ  Ｐｌａｙｅｒ）、デジタルカメラ、カムコーダー、車両用およびその他の目的のナビゲーション装置、ＧＰＳ（Ｇｌｏｂａｌ  Ｐｏｓｉｔｉｏｎｉｎｇ  Ｓｙｓｔｅｍ）測定および表示装置、ＭＰ３プレーヤーなどの装置が挙げられる。
【００２０】
コンテンツ格納部１００は、上記に説明したように、パッケージ化の対象となる複数のデジタルコンテンツの供給を外部の格納媒体または有線および無線通信網から受けて格納し、コンテンツ管理部１０２の要請に応じてパッケージ化の対象となる複数のデジタルコンテンツを供給すると同時に、コンテンツ管理部１０２においてコンテンツの要素を抽出してパッケージ化されたデジタルコンテンツの供給を受けて格納し、コンテンツ利用装置１０３の要請に基づいたコンテンツ管理部１０２のパッケージ化されたデジタルコンテンツの供給要請に応じてパッケージ化されたデジタルコンテンツをコンテンツ管理部１０２に供給する装置であって、コンテンツ管理部１０２およびデジタル権限管理部１０１と同じシステムまたは装置内に設けられていてもよく、外部装置として、パッケージ化の対象となるデジタルコンテンツまたはコンテンツ管理部１０２によってパッケージ化されたデジタルコンテンツをデータベース化して格納可能な有線および無線通信網が連結されたサーバ用コンピューターおよびその他の格納媒体であってもよい。
【００２１】
図２を参照すると、本発明のまた他の実施形態において、コンテンツ格納部１００は、パッケージ化の対象となるデジタルコンテンツとコンテンツ管理部１０２によってパッケージ化されたデジタルコンテンツとを各々別途に格納し、その格納および管理における効率性を高めるために、パッケージ化の対象となるデジタルコンテンツを格納するデジタルコンテンツ格納部２００と、パッケージ化されたデジタルコンテンツを格納するパッケージ化コンテンツ格納部２０１とを含むことができる。
【００２２】
コンテンツ管理部１０２およびデジタル権限管理部１０１は、コンテンツ格納部１０３のように有線および無線通信網が連結されたコンピューターおよびその他の格納媒体であってもよく、特に、デジタル権限管理部１０１は、デジタルコンテンツに対する利用権限を格納することができる装置をさらに設けることができ、時間、空間、ユーザー情報などの利用権限判断情報を収集することができる外部装置に連結することができる。
【００２３】
図３は、本発明の一実施形態に係るデジタルコンテンツの権限管理の装置において、デジタル権限管理部１０１に対する構成例を示す図である。
【００２４】
図３を参照すると、デジタル権限管理部１０１は、コンテンツ利用装置１０３の利用権限を発給する要請またはコンテンツ管理部１０２の要請に応じて、コンテンツ利用装置１０３の情報である時間、空間、ユーザーなどに対する情報を収集する権限情報収集部３００と、権限情報収集部３００によって収集されたコンテンツ利用装置１０３のデジタルコンテンツ利用権限情報に基づいて、デジタルコンテンツ利用権限の程度（例えば、ナビゲーションに必要なデジタル地図コンテンツにおいて、その他の地図情報に対する利用権限は与えるが、軍事施設に対する地図情報の利用権限は与えない）に対する演算を担当して利用権限を生成し、コンテンツ利用装置およびコンテンツ管理部１０２と連結され、デジタルコンテンツの利用権限に対する与え要請を受信して、デジタルコンテンツに対する利用権限がコンテンツ利用装置１０３に既に与えられている状態であるか否かを判断してその可否を送信し、生成されたデジタルコンテンツの利用権限をコンテンツ利用装置に与え、コンテンツ管理部１０２の要請に応じてデジタルコンテンツの利用権限をコンテンツ管理部１０２に送信したりする機能を果たす権限制御部３０２とを含む。また、さらに、デジタル権限情報収集部３００にコンテンツ利用装置１０３に対するデジタルコンテンツ利用権限の判断基準情報を供給するための外部デジタル権限情報収集装置３０３を連結することができる。また、コンテンツ利用装置１０３から直接権限情報を受信するために、デジタル権限情報収集部３００にコンテンツ利用装置１０３を連結することができる。
【００２５】
外部デジタル権限情報収集装置３０３は、上記に説明したように、時間、空間、ユーザー情報などの利用権限判断情報を収集することができる外部装置を意味し、このような機能を遂行することができる有線および無線通信網に連結されたいずれの装置も可能である。外部デジタル権限情報収集装置３０３は、例えば、デジタル時間測定ができるタイマー、ＧＰＳ装置を含む位置測定装置として一定空間を測定することができるカメラ、ＧＰＳ衛星と連結されたアンテナなどの通信装置、ユーザー情報を取得することができるデータベース格納装置または政府機関のデータサーバコンピューターなどを含むことができる。
【００２６】
本発明の最も重要な特徴を有し、上記に説明したデジタル権限管理部１０１とコンテンツ格納部１００、およびコンテンツ利用装置１０３と連結され、デジタルコンテンツの利用権限に基づいて、デジタルコンテンツの要素を抽出しパッケージ化して供給することを担当するコンテンツ管理部１０２に対する概略的な構成が図４に示されている。
【００２７】
図４を参照すると、コンテンツ管理部１０２は、パッケージ化の対象となるデジタルコンテンツのパッケージ化のために必要なデジタルコンテンツに対する利用権限を要請および受信し、それと同時にコンテンツ格納部１００からパッケージ化の対象となるデジタルコンテンツの供給を受け、受信した権限情報に対応してデジタルコンテンツの要素を抽出しパッケージ化するコンテンツパッケージ部４０１と、コンテンツパッケージ部からパッケージ化されたデジタルコンテンツを受信し、一定条件によりコンテンツ利用装置１０３にパッケージ化されたデジタルコンテンツを利用権限に応じてフィルタリングして供給するか、コンテンツ格納部１００に格納されたパッケージ化されたデジタルコンテンツの供給を受け、コンテンツ利用装置１０３に利用権限に応じてフィルタリングして供給する機能を果たすコンテンツ供給部４０２とを含むことができる。一定条件とは、コンテンツパッケージ部４０１によってパッケージ化されたデジタルコンテンツがコンテンツ格納部１００に格納されず、直ちにコンテンツ利用装置１０３に供給されなければならない場合、または既にコンテンツ格納部１００にコンテンツ利用装置１０３に対する利用権限に応じてパッケージ化されたデジタルコンテンツが格納されており、パッケージ化されたデジタルコンテンツの供給が別に必要ではない場合などをいう。
【００２８】
コンテンツ管理部１０２の構成において、コンテンツ供給部４０２は、一実施形態によって、コンテンツ格納部１００に内蔵されることができ、コンテンツのパッケージング状態に応じて、コンテンツ格納部１００に格納されたデジタルコンテンツのパッケージング形態が既に蓄積された利用権限データベースに応じてデジタルコンテンツの全体または一部に対してフィルタリングされた状態においてパッケージ化されている形態である場合、コンテンツ供給部４０２は存在しない場合もあり、コンテンツ格納部１００とコンテンツ利用装置１０３とを互いに連結することができる。
【００２９】
また、コンテンツ供給部４０２には、効率的な本発明の実施のために、コンテンツを単に伝達する機能だけでなく、コンテンツ利用装置１０３の要請に応じてコンテンツ利用装置に与えられた利用権限に基づいたコンテンツのダウンロードのために、通信手段だけでなく、パッケージ化されたデジタルコンテンツに対応する好適な利用権限が与えられたか否かを判断する手段がさらに含まれることが好ましい。
【００３０】
本発明の他の実施形態において、コンテンツ供給部４０２は、上記に説明したコンテンツの供給および利用権限に対する供給の有無の判断機能の他に、本発明の効率的な実施のために、コンテンツ利用装置１０３からのデジタルコンテンツに対するダウンロードの要請があるとき、要請されたデジタルコンテンツが既にコンテンツ利用装置１０３に供給されている状態であるか否かを判断する手段をさらに含むことができる。デジタルコンテンツは、自由に伝送可能であることが一般的であるため、コンテンツ供給部４０２からパッケージ化されたデジタルコンテンツをダウンロードしたコンテンツ利用装置１０３から他の装置に伝送することができる。次に、伝送された他の装置からパッケージ化されたデジタルコンテンツに対する利用要請があるとき、デジタル権限管理部１０１から利用権限の供給を受けると、コンテンツ供給部４０２からパッケージ化されたデジタルコンテンツの供給を受ける必要が無くなる。したがって、コンテンツ供給部４０２は、コンテンツ利用装置１０３の要請を受信して分析し、利用要請の対象となったパッケージ化されたデジタルコンテンツが既に供給されたか否かを判断する手段を備え、利用要請の対象となったパッケージ化されたデジタルコンテンツが既にコンテンツ利用装置１０３に存在する場合には、利用権限が既に与えられた状態であるため、パッケージ化されたデジタルコンテンツを供給せず、コンテンツ利用装置は、利用権限を既にダウンロードしたパッケージ化されたデジタルコンテンツを利用するために使うようになる。また、パッケージ化されたデジタルコンテンツの、コンテンツ利用装置１０３に与えられた利用権限に応じて、一部要素を削除したり一部要素を供給したりする制御を行うことができるのは当然のことである。
【００３１】
本発明において、デジタルコンテンツと利用権限に基づいてデジタルコンテンツをパッケージ化するコンテンツパッケージ部４０１の構成に対する概略的な装置図が図５に示されている。
【００３２】
図５を参照すると、コンテンツパッケージ部４０１は、パッケージ化の対象となるデジタルコンテンツデータを分析し、デジタルコンテンツの各要素を分析して、パッケージ化されたデジタルコンテンツを生成するための準備作業を行うコンテンツ分析部５０２と、権限情報受信部４００からデジタルコンテンツの利用権限データを受信して、デジタルコンテンツのパッケージ化のためのデータとして分析および変換し、コンテンツ分析部５０２からデジタルコンテンツの伝達を受け、デジタルコンテンツ利用権限に対応するデジタルコンテンツ要素を抽出してパッケージ化し、パッケージ化されたデジタルコンテンツを生成し、パッケージ化されたデジタルコンテンツをコンテンツ供給部４０２に伝達するコンテンツ生成部５０１とを含む。
【００３３】
コンテンツ生成部５０１は、デジタルコンテンツのデータに直に利用権限情報を結合するか、デジタルコンテンツに利用権限情報に対して暗号のような表式をデータ上に表示してパッケージ化することもできる。上記の方法の他にも、デジタルコンテンツに対する利用権限と利用権限に対応するデジタルコンテンツをコンテンツ供給部４０２が認識して、コンテンツ利用装置１０３に選別して供給することができる形態であるといずれも可能である。
【００３４】
コンテンツ生成部５０１が生成したパッケージ化されたデジタルコンテンツにおいて、デジタルコンテンツデータのヘッダー部（生成時間、日付、暗号、ファイル名などを記録するデジタルコンテンツの情報が収録されるデータ要素を意味する）に利用権限情報も格納することができる。また、コンテンツファイル内容の一部に対しても利用権限情報が各内容ファイルのヘッダー部に格納されることができ、このようなコンテンツファイル内容の一部にデジタルコンテンツ利用権限技術が適用された例について図６および図７に概略的に示されている。
【００３５】
図６を参照すると、本発明の実施形態による地図イメージコンテンツの構造６００が示されている。地図イメージコンテンツの構造６００は、軍事施設６１０、セキュリティー情報６１１、地域開発区域情報６１２、およびマンション、道路、商店街などを含む一般地域情報６１３を含むことができる。このような地図イメージコンテンツの構造に対し、コンテンツ分析部５０２は各要素別に地図イメージコンテンツを分析し、地図イメージコンテンツに対する利用権限情報に対応する要素を利用権限と結合してパッケージ化する。パッケージ化された地図イメージコンテンツに対するデータ的な概略的構造６０１を見てみると、コンテンツ構成要素（６１０，６１１，６１２，６１３）に対し、等級が第１等級から第４等級以上まで複数に分類されており、等級を分類する基準は、本発明の実施形態において空間の情報に従うようにし、その他の利用権限データにはユーザーおよび時間などと関連した追加的な利用制限有無を含んでいるが、他の利用権限を等級に分類する主な要素として使うか、複数の権限情報が一度に制限要素として使うか、主に等級を分ける要素がないこともあり得るのは当然である。
【００３６】
図７は、図６において説明した地図イメージコンテンツに対するパッケージ化に対して概略的にイメージを示す図である。
【００３７】
図７を参照すると、パッケージ化の対象となる地図イメージコンテンツ７００には、公園７１０、軍事施設７１１、道路７１２、刑務所７１３、警察署７１４、商店街７１５、ニュータウン開発地域７１６、食堂７１７、およびグリーンベルト７１８が構成要素として設定されている。これをコンテンツパッケージ部がイメージ分析および権限情報との結合によってパッケージ化すると、第１パッケージ化イメージ７０１と第２パッケージ化イメージ７０２の例のように、ダウンロード可能な要素が利用権限に応じて異なる結果を示していることが分かる。第１パッケージ化イメージ７０１において、軍事およびセキュリティー情報を制限しなければならない空間およびユーザーのために、軍事施設７２１および刑務所７２３に対する要素が斜線によって表示され見えないようにしており（この他にも情報を見えないようにする方法であるといずれも可能である。）、第２パッケージ化イメージ７０２において、経済情報は制限しなけるとならないが軍事的用途として地図を使用することができる空間、時間、およびユーザーのために。ニュータウン開発地域７３６およびグリーンベルト７３８が斜線によって、表示されないように、見えないようにしている。このような権限情報別のコンテンツパッケージ化の多角化により、コンテンツの全体または一部に対してデジタル権限管理システムの適用が可能であるため、デジタル権限管理技術の適用性が広くなる。
【００３８】
本発明に係るデジタルコンテンツの権限管理装置を使ってデジタルコンテンツの権限管理を行う方法に対する実施形態の概略的なフローチャートが図８に示されている。図８に示されたデジタルコンテンツの権限管理方法に対する実施形態を実施することができる装置であると、上記に説明した実施形態の他にも同一効果を示すことのできる装置を含む。
【００３９】
図８を参照すると、コンテンツ管理部１０２とデジタル権限管理部１０１がデジタルコンテンツを利用しようとするユーザーのコンテンツ利用装置１０３を介したデジタルコンテンツの利用要請を受信するステップ（Ｓ１）を遂行する。この場合、デジタル権限管理部１０１は、外部デジタル権限情報収集装置３０３および権限情報収集部３００を介し、コンテンツ利用装置１０３およびユーザーの要請に応じて、時間、空間、ユーザー情報などを含む複数のデジタルコンテンツ利用権限と関連した情報を収集するステップ（Ｓ２）を遂行する。
【００４０】
次に、権限制御部３０２が既にコンテンツ利用装置１０３に有効なデジタルコンテンツの利用権限が与えられた状態であるか否かを判断するステップ（Ｓ３）を遂行する。利用権限が与えられていない状態であると、権限制御部３０２は、収集された利用権限情報に基づいて、コンテンツ利用装置１０３に利用権限を発給することができるか否かを判断するステップ（Ｓ４）を遂行し、利用権限を与えることができる場合、コンテンツ利用装置１０３に利用権限を発給するステップ（Ｓ５）を遂行した後、再び情報収集ステップ（Ｓ２）に戻る。利用権限を発給することができない場合には、エラー情報をコンテンツ利用装置１０３に送信するステップ（Ｓ６）を遂行する。
【００４１】
コンテンツ利用装置１０３に有効なデジタルコンテンツの利用権限が与えられた状態であると、コンテンツ供給部４０２は、コンテンツ利用装置１０３に利用権限に基づいてコンテンツの要素別にパッケージ化されたデジタルコンテンツが既に存在するか否かを判断するステップ（Ｓ７）を遂行する。既にパッケージ化されたデジタルコンテンツが供給された状態であると、利用権限に応じてパッケージ化されたデジタルコンテンツを使用するか、一部要素に対する削除または追加を行ってパッケージ化されたデジタルコンテンツを使用するステップ（Ｓ１０）を遂行する。
【００４２】
パッケージ化されたデジタルコンテンツがコンテンツ利用装置１０３に供給されてない状態であると、コンテンツ供給部４０２は、上記に説明したコンテンツ管理部１０２によってコンテンツの要素別にパッケージ化されたデジタルコンテンツに対し、コンテンツ格納部１００またはコンテンツパッケージ部４０１にデジタルコンテンツの利用権限に応じてダウンロードを要請するステップ（Ｓ８）を遂行し、コンテンツ利用装置１０３にデジタルコンテンツを伝送して使用させるステップ（Ｓ９、Ｓ１０）を遂行する。次に、Ｓ２段階に戻り、継続的にコンテンツ利用装置１０３に対するデジタルコンテンツの利用権限情報を受信して、リアルタイムで効果的なデジタルコンテンツに対する利用権限管理を行うようになる。
【００４３】
本発明の実施形態によるデジタルコンテンツの権限管理装置および方法について上記に説明したのは、特許請求の範囲に記載された本発明に対する一例に過ぎず、本発明の特許請求の範囲を制限するものではないことは明らかである。また、本発明と同一効果を達成することができる等価な発明も本発明と同様であるということも明らかである。
【図１】
2010123129.tif 000003
【図２】
2010123129.tif 000004
【図３】
2010123129.tif 000005
【図４】
2010123129.tif 000006
【図５】
2010123129.tif 000007
【図６】
2010123129.tif 000008
【図７】
2010123129.tif 000009
【図８】
2010123129.tif 000010